【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
表示手段の表示画面上におけるスライダーサムが前記スライダーサムの位置を示すスケールの複数の値に跨る大きさを有する情報処理装置であって、
前記表示手段の前記表示画面上におけるカーソルと、スライダーコントロールを構成するスライダーバーおよび前記スライダーサムとの重なり状態をそれぞれ判定する判定手段と、
前記判定手段によって判定された重なり状態に基づいて、前記表示手段の表示画面上に表示させる前記スライダーコントロールに関連する情報を決定する決定手段と、
前記情報を前記表示手段の表示画面上に表示する表示制御手段と、を備え、
前記決定手段は、
前記判定手段により前記カーソルと前記スライダーバーとが重なっていると判定された場合、前記カーソルの位置に前記スライダーサムが移動された場合の前記スライダーサムの値に関する情報を、前記スライダーコントロールに関連する情報として決定し、
前記判定手段により前記カーソルと前記スライダーサムとが重なっている、かつ、前記カーソルが前記スライダーサムの現在値に対応する位置に位置すると判定された場合、前記スライダーサムの現在値に関する情報を、前記スライダーコントロールに関連する情報として決定し、
前記判定手段により前記カーソルと前記スライダーサムとが重なっている、かつ、前記カーソルが前記スライダーサムの現在値と異なる値に対応する位置に位置すると判定された場合、前記スライダーサムの現在値に関する情報を、前記スライダーコントロールに関連する情報として決定することを特徴とする情報処理装置。
【請求項２】
前記決定手段は、
前記判定手段により前記カーソルと前記スライダーバーとが重なっていると判定された場合、前記スライダーサムの現在値と、前記カーソルの位置に前記スライダーサムが移動された場合の前記スライダーサムの値との差分値を、前記スライダーコントロールに関連する情報として決定することを特徴とする請求項１に記載の情報処理装置。
【請求項３】
前記決定手段は、
前記カーソルと前記スライダーサムとが重なっている場合と、前記カーソルと前記スライダーバーとが重なっている場合とで、前記スライダーコントロールに関連する情報の表示方法を変更することを特徴とする請求項１または２に記載の情報処理装置。
【請求項４】
前記決定手段は、
前記スライダーコントロールに関連する情報の色、形状およびフォントの少なくとも１つを変更することを特徴とする請求項３に記載の情報処理装置。
【請求項５】
前記決定手段は、
前記判定手段により前記カーソルと前記スライダーバーとが重なっていると判定された場合、前記カーソルの位置に表示させるマーカーを、前記スライダーコントロールに関連する情報として決定し、
前記判定手段により前記カーソルと前記スライダーサムとが重なっている、かつ、前記カーソルが前記スライダーサムの現在値に対応する位置に位置すると判定された場合、前記スライダーサムの現在の位置に表示させるマーカーを、前記スライダーコントロールに関連する情報として決定し、
前記判定手段により前記カーソルと前記スライダーサムとが重なっている、かつ、前記カーソルが前記スライダーサムの現在値と異なる値に対応する位置に位置すると判定された場合、前記スライダーサムの現在の位置に表示させるマーカーを、前記スライダーコントロールに関連する情報として決定することを特徴とする請求項１から４のいずれか１項に記載の情報処理装置。
【請求項６】
前記スライダーコントロールは、撮像装置の撮像条件の設定を行うためのものであり、前記決定手段は、
前記撮像装置の撮像条件に関連する情報を、前記スライダーコントロールに関連する情報として決定することを特徴とする請求項１から５のいずれか１項に記載の情報処理装置。
【請求項７】
前記撮像条件は、前記撮像装置の露出補正値を含み、
前記決定手段は、
前記判定手段により前記カーソルと前記スライダーバーとが重なっていると判定された場合、前記カーソルの位置に前記スライダーサムが移動された場合に設定される前記露出補正値を用いた撮像により得られる明るさの画像を、前記撮像装置の撮像条件に関連する情報として決定し、
前記判定手段により前記カーソルと前記スライダーサムとが重なっている、かつ、前記カーソルが前記スライダーサムの現在値に対応する位置に位置すると判定された場合、現在設定されている前記露出補正値を用いた撮像により得られる明るさの画像を、前記撮像装置の撮像条件に関連する情報として決定し、
前記判定手段により前記カーソルと前記スライダーサムとが重なっている、かつ、前記カーソルが前記スライダーサムの現在値と異なる値に対応する位置に位置すると判定された場合、現在設定されている前記露出補正値を用いた撮像により得られる明るさの画像を、前記撮像装置の撮像条件に関連する情報として決定することを特徴とする請求項６に記載の情報処理装置。
【請求項８】
前記撮像条件は、前記撮像装置の絞り値を含み、
前記決定手段は、
前記判定手段により前記カーソルと前記スライダーバーとが重なっていると判定された場合、前記カーソルの位置に前記スライダーサムが移動された場合に設定される前記絞り値を表現した画像を、前記撮像装置の撮像条件に関連する情報として決定し、
前記判定手段により前記カーソルと前記スライダーサムとが重なっている、かつ、前記カーソルが前記スライダーサムの現在値に対応する位置に位置すると判定された場合、現在設定されている前記絞り値を表現した画像を、前記撮像装置の撮像条件に関連する情報として決定し、
前記判定手段により前記カーソルと前記スライダーサムとが重なっている、かつ、前記カーソルが前記スライダーサムの現在値と異なる値に対応する位置に位置すると判定された場合、現在設定されている前記絞り値を表現した画像を、前記撮像装置の撮像条件に関連する情報として決定することを特徴とする請求項６または７に記載の情報処理装置。
【請求項９】
前記表示制御手段は、
前記決定手段により決定された情報をツールチップとして前記表示手段に表示させることを特徴とする請求項１から８のいずれか１項に記載の情報処理装置。
【請求項１０】
表示手段の表示画面上におけるスライダーサムが前記スライダーサムの位置を示すスケールの複数の値に跨る大きさを有する情報処理装置の情報処理方法であって、
前記表示手段の前記表示画面上におけるカーソルと、スライダーコントロールを構成するスライダーバーおよび前記スライダーサムとの重なり状態をそれぞれ判定するステップと、
前記判定結果によって判定された重なり状態に基づいて、前記表示手段の表示画面上に表示させる前記スライダーコントロールに関連する情報を決定するステップと、
決定された前記情報を前記表示手段に表示させるステップと、を含み、
前記決定するステップでは、
前記判定するステップにおいて前記カーソルと前記スライダーバーとが重なっていると判定された場合、前記カーソルの位置に前記スライダーサムが移動された場合の前記スライダーサムの値に関する情報を、前記スライダーコントロールに関連する情報として決定し、
前記判定するステップにおいて前記カーソルと前記スライダーサムとが重なっている、かつ、前記カーソルが前記スライダーサムの現在値に対応する位置に位置すると判定された場合、前記スライダーサムの現在値に関する情報を、前記スライダーコントロールに関連する情報として決定し、
前記判定するステップにおいて前記カーソルと前記スライダーサムとが重なっている、かつ、前記カーソルが前記スライダーサムの現在値と異なる値に対応する位置に位置すると判定された場合、前記スライダーサムの現在値に関する情報を、前記スライダーコントロールに関連する情報として決定することを特徴とする情報処理方法。
【請求項１１】
コンピュータを、請求項１から９のいずれか１項に記載の情報処理装置の各手段として機能させるためのプログラム。
【手続補正２】
【補正対象書類名】明細書
【補正対象項目名】０００５
【補正方法】変更
【補正の内容】
【０００５】
上記課題を解決するために、本発明に係る情報処理装置の一態様は、表示手段の表示画面上におけるスライダーサムが前記スライダーサムの位置を示すスケールの複数の値に跨る大きさを有する情報処理装置であって、前記表示手段の前記表示画面上におけるカーソルと、スライダーコントロールを構成するスライダーバーおよび前記スライダーサムとの重なり状態をそれぞれ判定する判定手段と、前記判定手段によって判定された重なり状態に基づいて、前記表示手段の表示画面上に表示させる前記スライダーコントロールに関連する情報を決定する決定手段と、前記情報を前記表示手段の表示画面上に表示する表示制御手段と、を備え、前記決定手段は、前記判定手段により前記カーソルと前記スライダーバーとが重なっていると判定された場合、前記カーソルの位置に前記スライダーサムが移動された場合の前記スライダーサムの値に関する情報を、前記スライダーコントロールに関連する情報として決定し、前記判定手段により前記カーソルと前記スライダーサムとが重なっている、かつ、前記カーソルが前記スライダーサムの現在値に対応する位置に位置すると判定された場合、前記スライダーサムの現在値に関する情報を、前記スライダーコントロールに関連する情報として決定し、前記判定手段により前記カーソルと前記スライダーサムとが重なっている、かつ、前記カーソルが前記スライダーサムの現在値と異なる値に対応する位置に位置すると判定された場合、前記スライダーサムの現在値に関する情報を、前記スライダーコントロールに関連する情報として決定する。